(57)【要約】      （修正有）【課題】嵩張らずに持ち運びに便利であり、かつ、モバイル端末の画面の保持角度を自由に調整することができるモバイル端末用スタンドを提供する。【解決手段】モバイル端末２に直接もしくはケースを介して貼付される貼付部１１と、スタンド機能を奏するスタンド部１２を有する、モバイル端末用スタンド１であって、貼付部１１とスタンド部１２が、面ファスナを用いてなる。【選択図】図１
0003217073.tif 000002
【実用新案登録請求の範囲】
【請求項１】
モバイル端末に直接もしくはケースを介して貼付される貼付部と、スタンド機能を奏するスタンド部を有する、モバイル端末用スタンドであって、
前記貼付部と前記スタンド部が、係合子を有する面ファスナを用いてなる、モバイル端末用スタンド。
【請求項２】
前記スタンド部が、表面及び裏面に前記係合子を有する、請求項１に記載のモバイル端末用スタンド。
【請求項３】
前記スタンド部が、２枚の面ファスナを重ね合わせて構成された２層構造を有する、請求項１又は２に記載のモバイル端末用スタンド。
【請求項４】
前記スタンド部が、２枚の面ファスナと該２枚の面ファスナ間に挟まれた剛性部材で構成された３層構造を有する、請求項１又は２に記載のモバイル端末用スタンド。
【請求項５】
前記係合子として、フック状係合子及びループ状係合子が混在する、請求項１〜４の何れかに記載のモバイル端末用スタンド。
【請求項６】
請求項１〜５の何れかのモバイル端末用スタンドの前記貼付部にモバイル端末用ケースを貼付してなる、スタンド付きモバイル端末用ケース。
【考案の詳細な説明】
【技術分野】
【０００１】
本考案は、モバイル端末用スタンドに関する。
【背景技術】
【０００２】
携帯電話、スマートフォン、タブレット型端末などのモバイル端末の画面を立てた状態で保持する道具として、複数の部材（弾性取り付け部材と保持部材と連結部材とモバイル機器装着部材）から構成されるモバイル機器ホルダ（特許文献１）や、基板に複雑な加工を施して形成した携帯端末用スタンド（特許文献２）等が開示されている。また、モバイル端末用のケースにスタンド機能を持たせたもの（特許文献３、４等）も開示されている。
【０００３】
特許文献１や２のモバイル機器ホルダや携帯端末用スタンドは、複雑な形状で嵩張る構造を有するため、常に持ち歩いて好きな場所で使用するという用途には不向きである。
【０００４】
特許文献３や４のモバイル端末用ケースは、ケースの一部に折り目やヒンジ部が形成され、それらを折り曲げて使用することでスタンドとしての機能を奏するものであるため、モバイル端末の画面の保持角度を自由に調整することはできない。
【先行技術文献】
【特許文献】
【０００５】
【特許文献１】ＷＯ２０１２/１０５５４９号公報
【特許文献２】特開２０１４−６８３１２号公報
【特許文献３】特開２０１７−１５８１６５号公報
【特許文献４】特開２０１４−１２０９０９号公報
【考案の概要】
【考案が解決しようとする課題】
【０００６】
本考案はこのような事情に鑑みてなされたものであり、嵩張らずに持ち運びに便利であり、かつ、モバイル端末の画面の保持角度を自由に調整することができるモバイル端末用スタンドの提供を目的とする。
【課題を解決するための手段】
【０００７】
本考案者らは、鋭意検討の結果、所定構造の面ファスナを用いることで、上記の課題を解決できることを見出した。本考案はかかる知見に基づいて完成した。
【０００８】
本考案は、以下の［１］〜［６］を提供する。
［１］  モバイル端末に直接もしくはケースを介して貼付される貼付部と、スタンド機能を奏するスタンド部を有する、モバイル端末用スタンドであって、前記貼付部と前記スタンド部が、係合子を有する面ファスナを用いてなる、モバイル端末用スタンド。
［２］  前記スタンド部が、表面及び裏面に前記係合子を有する、［１］に記載のモバイル端末用スタンド。
［３］  前記スタンド部が、２枚の面ファスナを重ね合わせて構成された２層構造を有する、［１］又は［２］に記載のモバイル端末用スタンド。
［４］  前記スタンド部が、２枚の面ファスナと該２枚の面ファスナ間に挟まれた剛性部材で構成された３層構造を有する、［１］又は［２］に記載のモバイル端末用スタンド。
［５］  前記係合子として、フック状係合子及びループ状係合子が混在する、［１］〜［４］の何れかに記載のモバイル端末用スタンド。
［６］  前記［１］〜［５］の何れかのモバイル端末用スタンドの前記貼付部にモバイル端末用ケースを貼付してなる、スタンド付きモバイル端末用ケース。
【考案の効果】
【０００９】
本考案によれば、嵩張らずに持ち運びに便利であり、かつ、モバイル端末の画面の保持角度を自由に調整することができるモバイル端末用スタンドを提供することができる。
【図面の簡単な説明】
【００１０】
【図１】本考案の一実施形態におけるモバイル端末用スタンドをモバイル端末に貼付して、スタンドとして使用した状態の全体斜視図である。
【図２】本考案の一実施形態におけるモバイル端末用スタンドをモバイル端末に貼付して、広げた状態（スタンドとしても、画面を保護するカバーとしても使用していない状態）の側面図である。
【図３】本考案の一実施形態におけるモバイル端末用スタンドをモバイル端末のケースに貼付して、広げた状態の側面図である。
【図４】本考案の一実施形態におけるモバイル端末用スタンドをモバイル端末に貼付して、画面を保護するカバーとして使用した状態の側面図である。
【図５】本考案の一実施形態におけるモバイル端末用スタンドをモバイル端末に貼付して、スタンドとして、様々の角度で使用した状態の側面図（ａ）〜（ｃ）である。
【図６】本考案の一実施形態におけるモバイル端末用スタンドをモバイル端末に貼付して、広げた状態の上面図（ａ）と下面図（ｂ）である。
【図７】本考案の一実施形態におけるモバイル端末用スタンドをモバイル端末に貼付して、２つ折にした状態（スタンドとしても画面を保護するカバーとしても使用していない状態）の上面図（ａ）と側面図（ｂ）である。
【考案を実施するための形態】
【００１１】
以下、本考案を詳細に説明するが、本考案は下記の実施形態に限定されるものではない。
【００１２】
＜モバイル端末用スタンド＞
本考案に係るモバイル端末用スタンド１は、図１に示すように、モバイル端末２に貼付される貼付部１１と、スタンド機能を奏するスタンド部１２を有する。前記貼付部１１と前記スタンド部１２は、面ファスナからなる。
面ファスナとして、「マジックテープ（登録商標）」や「ベルクロ（登録商標）」の商標名で知られる面ファスナ、または樹脂からなるプラスチック製成形面ファスナを用いることができる。
【００１３】
モバイル端末用スタンド１は、図２に示すようにモバイル端末２に直接貼付したり、図３に示すようにモバイル端末２のケース３を介して貼付することができる。モバイル端末２やケース３への貼付は、例えば粘着剤を用いて行うことができる。
モバイル端末用スタンド１とケース３をあらかじめ貼付したスタンド付きモバイル端末用ケースとすることもできる。
【００１４】
モバイル端末用スタンド１は、図２、３に示すように、貼付部１１とスタンド部１２を一体に形成することができる。
図２に示すように、貼付部１１の長さ（Ｌ１）とスタンド部１２の長さ（Ｌ２）を、Ｌ１＜Ｌ２とすることが好ましい。この場合、例えば、図４に示すように、スタンド部１２に形成した取手部１２１を形成し、モバイル端末２の不使用時に貼付部１１と係合させてモバイル端末２の表面及び裏面を完全に被覆することができる。
また、Ｌ１＜Ｌ２とすることで、モバイル端末の画面の保持角度の調整幅を大きく確保することができる。
図５に示すように、モバイル端末の画面の保持角度（水平面に対する角度）は、スタンド部１２を変形して形成する空間４の形状で調整することができる。スタンド部１２を変形して形成する空間４は、スタンド機能を奏する空間４であり、例えば、例えば、図５（ａ）に示すようにスタンド部１２の先端側を丸めて折り返して形成したり、図５（ｂ）に示すようにスタンド部１２の中央部分を撓ませて形成したり、図５（ｃ）に示すようにスタンド部１２全体を筒状に丸めて形成することができる。
【００１５】
本実施形態では、図６に示すように、スタンド部１２の先端下部を切り欠いて取手部１２１を形成している。取手部１２１に手を掛けて、図４に示すようにスタンド部１２をモバイル端末２に巻きつけた状態にして係止したり、図６に示すように巻きつけを解いて開いた状態にしたり、図７に示すように、スタンド部１２を折り返して貼付部１１の裏面に貼り付けた状態にしたりすることができる。
本実施形態では、図６に示すように、モバイル端末用スタンド１が、モバイル端末２の高さ（Ｈ）と略同一の高さを有する実施形態を示しているが、モバイル端末用スタンド１の形状は、スタンド部１２の長さ（Ｌ２）を変形させて、スタンド機能を奏する空間４を形成できる形状であればよく、その他の形状は特に限定されない。
また、本実施形態では、図１に示すように、モバイル端末２の画面を横長に保持できる方向にモバイル端末用スタンド１を貼り付けて使用しているが、モバイル端末２の画面を縦長に保持できる方向にモバイル端末用スタンド１を貼り付けて使用することもできる。
【００１６】
＜面ファスナ＞
スタンド部１２を構成する面ファスナは、表面１２Ａ及び裏面１２Ｂの双方に係合子を有することが好ましい。
貼付部１１を構成する面ファスナは、少なくとも、裏面１１Ｂに、スタンド部１２の表面１２Ａ及び裏面１２Ｂの係合子と係合可能な係合子（スタンド部１２の表面１２Ａ及び裏面１２Ｂの係合子がフック状係合子の場合には、ループ状係合子。スタンド部１２の表面１２Ａ及び裏面１２Ｂの係合子がループ状係合子の場合には、フック状係合子。スタンド部１２の表面１２Ａ及び裏面１２Ｂの係合子がフック状係合子とループ状係合子を混在させたものである場合には、ループ状係合子及び/又はフック状係合子。）を有することが好ましい。
【００１７】
スタンド部１２は、スタンドとして使用した際に、モバイル端末２を支えるだけの剛性を確保するために、２枚の面ファスナを重ね合わせてなる２層構造とすることが好ましく、２枚の面ファスナと該２枚の面ファスナ間に挟まれた剛性部材からなる３層構造とすることがより好ましい。
剛性部材は、スタンド部１２を例えば図５（ａ）〜（ｃ）のように変形させる際に変形の妨げにならない素材であって、かつ、剛性に優れる素材であれば特に限定されない。剛性部材として、例えば、ポリ塩化ビニル系樹脂、エチレン酢酸ビニル共重合体系樹脂（硬質ＥＶＡ樹脂）、熱可塑性ポリウレタン系樹脂等の合成樹脂の非発泡体などの素材を例示することができる。
【００１８】
面ファスナは、モバイル端末を被覆して人手に触れるように配置されるため、触感に優れる面ファスナであることが好ましい。
当該観点から、製編織された基布の同一面上にフック状係合子とループ状係合子が混在して設けられた面ファスナであることが好ましい。前記ループ状係合子の高さが１．０〜４．０ｍｍで、かつ該フック状係合子の高さより０．１〜２．０ｍｍ高く設けられてなることが更に好ましい。フック状係合子をモノフィラメントから構成し、ループ状係合子を柔軟で感触の良いマルチフィラメントで構成することが最も好ましい。
【００１９】
＜使用方法＞
本考案に係るモバイル端末用スタンド１は、貼付部１１を、接着剤等を用いてモバイル端末２やケース３に貼り付けて、常時、モバイル端末２とともに使用することもできるし、或いは、モバイル端末２やケース３の裏面に接着剤等を用いて面ファスナを貼付しておき、モバイル端末の画面を立てた状態で使用する際に、モバイル端末用スタンド１の貼付部１１を、モバイル端末２やケース３の裏面に貼付してある面ファスナと貼り合わせて使用することもできる。後者の場合でも、面ファスナからなるモバイル端末用スタンド１は軽量であり、かつ、丸めたり、折りたたんで持ち運ぶことができるため、常時携帯することも可能である。
【実施例】
【００２０】
以下、実施例により本考案を具体的に説明するが、本考案はこれらの実施例により何ら制限されない。
【００２１】
（実施例１〜２）
製編織された基布の表面及び裏面双方の同一面上にフック状とループ状係合子が混在して設けられた「マジックテープ（登録商標）」と、剛性部材を用いて、モバイル端末（縦：１３５ｍｍ、横：６５ｍｍ、重量：１４０ｇ）用のモバイル端末用スタンド１として、表１の構造を有するモバイル端末用スタンドを作成した。
【００２２】
（実施例３）
製編織された基布の表面にフック状係合子が設けられ、裏面にループ状係合子が設けられた面ファスナを用いて、モバイル端末（縦：１３５ｍｍ、横：６５ｍｍ、重量：１４０ｇ）用のモバイル端末用スタンド１として、表１の構造を有するモバイル端末用スタンドを作成した。
【００２３】
（比較例１）
係合子を有さない以外は、実施例１と同一の構造のモバイル端末用スタンドを作成した。
【００２４】
（評価）
スタンド部１２を、図５（ａ）〜（ｃ）のように変形させた状態で、モバイル端末の重量に耐えて保持できる角度を測定した。評価結果を下記表１に示す。
【００２５】
【表１】
0003217073.tif 000003
【００２６】
表１に示すように、本考案の構成要件を満足する実施例１〜３のモバイル端末用スタンドによれば、モバイル端末の画面の保持角度を所定の範囲で自由に調整することができることが確認された。
比較例１のモバイル端末用スタンドは、表面及び裏面に係合子を有さないため、モバイル端末用スタンド単独でスタンド機能を奏することができないことが確認された。
【産業上の利用可能性】
【００２７】
本考案のモバイル端末用スタンドは、携帯電話、スマートフォン、タブレット型端末などのモバイル端末の画面を立てた状態で保持するスタンドの用途に用いることができる。また、本考案のモバイル端末用スタンドは、モバイル端末の画面を保護するカバー部材の用途にも用いることができる。
【符号の説明】
【００２８】
１      モバイル端末用スタンド
１１    貼付部
１１Ｂ  裏面
１２    スタンド部
１２Ａ  表面
１２Ｂ  裏面
１２１  取手部
２      モバイル端末
３      ケース
４      空間
【図１】
0003217073.tif 000004
【図２】
0003217073.tif 000005
【図３】
0003217073.tif 000006
【図４】
0003217073.tif 000007
【図５】
0003217073.tif 000008
【図６】
0003217073.tif 000009
【図７】
0003217073.tif 000010